(57)【要約】【課題】簡易な治具でドライブシャフトをデファレンシャルから容易に抜き取ることができるドライブシャフト抜き取り治具を提供する。【解決手段】ドライブシャフト抜き取り治具１は、ドライブシャフトのデファレンシャル側とデファレンシャルケースとの隙間に差し込まれる一対の差込片１１を有する差込部１０と、差込片１１の基端同士を連結する基部１５と、基部１５に設けられ、差込片１１の並列方向に沿う方向を回転軸として差込部１０を回転させる軸部材３０が取り付けられる軸取付部２０とを備える。抜き取り治具１を使用するときは、ドライブシャフトのデファレンシャル側とデファレンシャルケースとの隙間に差込部１０を差し込み、軸取付部２０に軸部材３０を取り付け、軸部材３０を中心にして捩ることにより、ドライブシャフトをデファレンシャルから抜き取る。【選択図】図３
2019166621.tif 000002
【特許請求の範囲】
【請求項１】
車両のドライブシャフトをデファレンシャルから抜き取るドライブシャフト抜き取り治具であって、
前記ドライブシャフトのデファレンシャル側とデファレンシャルケースとの隙間に差し込まれる一対の差込片を有する差込部と、
前記差込片の基端同士を連結する基部と、
前記基部に設けられ、前記差込片の並列方向に沿う方向を回転軸として前記差込部を回転させる軸部材が取り付けられる軸取付部とを備えるドライブシャフト抜き取り治具。
【発明の詳細な説明】
【技術分野】
【０００１】
本発明は、車両のドライブシャフトをデファレンシャルから抜き取るドライブシャフ抜き取り治具に関する。
【背景技術】
【０００２】
自動車などの車両は、デファレンシャル（差動装置）から回転駆動力を車輪に伝達するドライブシャフトを備える。フロントエンジン・フロントドライブ方式の自動車（ＦＦ車）の場合、トランスミッション（変速機）にデファレンシャルが内蔵されているのが一般的である。通常、ドライブシャフトは、デファレンシャル側及び車輪側の両端部に等速ジョイントが取り付けられ、ドライブシャフトの一端が等速ジョイントを介してデファレンシャルと連結され、他端が等速ジョイントを介して車輪と連結される。
【０００３】
ドライブシャフトの修理・点検時に、ドライブシャフトをデファレンシャルから抜き取る場合がある。特許文献１には、ドライブシャフトにおけるブーツ交換用治具に関する発明が開示されている。
【先行技術文献】
【特許文献】
【０００４】
【特許文献１】特開２０００−６０４７号公報
【発明の概要】
【発明が解決しようとする課題】
【０００５】
特許文献１に記載の治具では、タイヤを取り外したり、大掛かりな治具を組み付ける必要があるため、作業に手間と時間がかかる。そこで、ドライブシャフトのデファレンシャル側とデファレンシャルケースとの隙間にバールを差し込み、スライドハンマーでバールに衝撃を与えて、てこの原理で無理やりドライブシャフトを引き抜く方法もある。この方法は、狭いエンジンルーム内ではバールを動かすスペースを確保し難いなど、効果的に力を作用させることができない場合があり、作業効率が悪い。
【０００６】
本発明の目的の一つは、簡易な治具でドライブシャフトをデファレンシャルから容易に抜き取ることができるドライブシャフト抜き取り治具を提供することにある。
【課題を解決するための手段】
【０００７】
本発明の一態様に係るドライブシャフト抜き取り治具は、
車両のドライブシャフトをデファレンシャルから抜き取るドライブシャフト抜き取り治具であって、
前記ドライブシャフトのデファレンシャル側とデファレンシャルケースとの隙間に差し込まれる一対の差込片を有する差込部と、
前記差込片の基端同士を連結する基部と、
前記基部に設けられ、前記差込片の並列方向に沿う方向を回転軸として前記差込部を回転させる軸部材が取り付けられる軸取付部とを備える。
【発明の効果】
【０００８】
上記ドライブシャフト抜き取り治具は、ドライブシャフトのデファレンシャル側とデファレンシャルケースとの隙間に差込部を差し込み、基部に設けられた軸取付部に軸部材を取り付け、軸部材を中心にして回す（捩る）ことにより、ドライブシャフトをデファレンシャルから抜き取る。上記ドライブシャフト抜き取り治具によれば、軸取付部に取り付けた軸部材を回して、デファレンシャル側とデファレンシャルケースとの隙間に差し込まれた差込部を回転させることで、デファレンシャル側を外方向に押す力が作用し、ドライブシャフトを容易に抜き取ることができる。また、簡易な構成でエンジンルーム内に差し入れることができ、シャフト抜取作業時に軸部材を回す構成としたことにより、狭いエンジンルーム内でも効果的に力を作用させることができ、作業効率が良い。したがって、上記ドライブシャフト抜き取り治具は、簡易な治具でドライブシャフトをデファレンシャルから容易に抜き取ることができる。
【図面の簡単な説明】
【０００９】
【図１】実施形態に係るドライブシャフト抜き取り治具の一例を示す概略平面図である。
【図２】実施形態に係るドライブシャフト抜き取り治具の別の一例を示す概略平面図である。
【図３】実施形態に係るドライブシャフト抜き取り治具に軸部材を取り付けた状態を示す概略平面図である。
【図４】ドライブシャフトとデファレンシャル（トランスミッション）との連結部を示す概略構成図である。
【図５】実施形態に係るドライブシャフト抜き取り治具の使用方法を説明する概略図である。
【発明を実施するための形態】
【００１０】
本発明の実施形態に係るドライブシャフト抜き取り治具（以下、単に「抜き取り治具」と呼ぶ場合がある）の具体例を、図面を参照して説明する。図中の同一符号は同一名称物を示す。図面において、車両前方をＦＲ、車両後方をＲＲ、車両左方をＬＨ、車両右方をＲＨ、車両上方をＵＰ、車両下方をＬＷとして矢印で示す。
【００１１】
［実施形態］
図１〜図５を参照して、実施形態に係るドライブシャフト抜き取り治具１について説明する。抜き取り治具１は、車両のドライブシャフトをデファレンシャル（以下、単に「デフ」と呼ぶ場合がある）から抜き取る際に使用するものである。図４、図５では、ＦＦ車の左前輪のドライブシャフト１００を示しており、ドライブシャフト１００のデフ側にはインナージョイント１１０が取り付けられている。また、図４、図５に示すトランスミッション２００にはデフが内蔵され、トランスミッションケースにデフケース２１０が一体に形成されている。なお、図４はエンジンルーム内を車両後方側から見た図であり、図５はエンジンルームを車両下方側から見た図である。
【００１２】
実施形態に係る抜き取り治具１は、図１、図２に示すように、一対の差込片１１を有する差込部１０と、差込片１１の基端同士を連結する基部１５と、軸部材３０（図３参照）が取り付けられる軸取付部２０とを備える。以下、抜き取り治具１の各構成要素について、図３、図４を適宜参照しながら、図１及び図２を用いて説明する。
【００１３】
（差込部）
差込部１０は、図４に示すドライブシャフト１００のデフ側とトランスミッション２００のデフケース２１０との隙間ｃに差し込まれる一対の差込片１１を有する。差込部１０の形状は、平板状で平面視略Ｃ字状に形成されており、一対の差込片１１の先端間が開放されている。差込部１０を上記隙間ｃに差し込んだとき、差込片１１間にドライブシャフト１００が入り込むようになっている。本例では、図１、図２に示すように、一対の差込片１１によって形成される差込部１０の内周面が略半円弧面になっている。差込部１０の円弧状に形成された内縁部の直径は、上記隙間ｃに位置するドライブシャフト１００の外径に対応した寸法である。
【００１４】
（基部）
基部１５は、一対の差込片１１の先端とは反対側の基端同士を連結する部分である。基部１５には、軸取付部２０が設けられる。本例では、差込部１０と基部１５とが、炭素鋼や工具鋼などの鋼製の板材で一体に形成されている。
【００１５】
（軸取付部）
軸取付部２０は、一対の差込片１１の並列方向に沿う方向（図１、図２の紙面左右方向）を回転軸として差込部１０を回転させる軸部材３０（図３参照）が取り付けられる部分である。軸取付部２０は、軸部材３０を取り付け可能なものであれは、特に問わない。
【００１６】
図１に示す軸取付部２０は、断面多角形状の角棒（図１では六角棒）とした例であり、この場合、図３に示す軸部材３０として、角棒に適合するソケット（例えば六角ソケット）が先端に取り付けられたソケットレンチを用いることが挙げられる。図２に示す軸取付部２０は、開口形状が多角形状（図２では四角形状）の穴２２が端面に形成された穴付き丸棒とした例であり、この場合、図３に示す軸部材３０として、穴２２の開口形状に適合する凸部が先端に形成されたレンチ（例えば四角レンチ）を用いることが挙げられる。図１及び図２では、軸取付部２０（六角棒、穴付き丸棒）が鋼材で形成されおり、基部１５に溶接で固定されている。
【００１７】
本例では、軸取付部２０が基部１５の上面に固定されているが、軸取付部２０は基部１５の下面又は側面に固定してもよい。また、本例のように、軸取付部２０を別部材として基部１５に接合する他、差込部１０及び基部１５と軸取付部２０とを一体の鋳造品とし、所定の形状となるように切削加工を行って抜き取り治具１を作製することも可能である。
【００１８】
（軸部材）
軸部材３０は、図３に示すように、軸取付部２０に取り付ける棒状の部材であり、軸取付部２０の一端に軸部材３０の先端を取り付けることによって、軸取付部２０の軸方向（長手方向）に連結される。つまり、軸取付部２０と軸部材３０とは一直線状に配置される。軸部材３０を中心にして回すことにより、軸取付部２０を回転軸として差込部１０を回転させることが可能である。軸部材３０は、軸取付部２０に取り付け可能なものであれは、特に問わない。図３に示す抜き取り治具１は、図１に示すものである。
【００１９】
例えば、図１に例示したように、軸取付部２０が角棒である場合は、軸部材３０を上述のソケットレンチとし、先端のソケットを角棒の一端に嵌め込む。図２に例示したように、軸取付部２０が穴付き丸棒である場合は、軸部材３０を上述のレンチとし、先端の凸部を穴付き丸棒の一端の穴２２に挿入する。
【００２０】
（ハンドル）
本例では、軸部材３０の基端側に、軸部材３０の軸方向と直交する方向に延びるハンドル３５が着脱自在に取り付けられている。軸部材３０を回すときは、このハンドル３５を操作することにより、大きな回転力（トルク）を加えることができる。軸部材３０及びハンドル３５には、汎用工具を用いることができる。本例では、軸部材３０の基端の端面に四角形状の穴が形成されており、ハンドル３５は、その先端部にこの穴に挿入される凸部を有するラチェットレンチである。
【００２１】
〈抜き取り治具の使用方法〉
抜き取り治具１の使用方法の一例を、図４、図５を用いて説明する。図５に示す抜き取り治具１は、図２に示すものである。
【００２２】
エンジンルーム内に抜き取り治具１を差し入れ、ドライブシャフト１００のデフ側とトランスミッション２００のデフケース２１０との隙間ｃ（図４参照）に差込部１０（差込片１１）を差し込むと共に、基部１５に設けられた軸取付部２０に軸部材３０を取り付ける。その後、図５に示すように、軸部材３０を中心にして捩り、軸取付部２０を回転軸として差込部１０を回転させる。図５中、白抜き矢印は軸部材３０の捩り方向を示し、黒塗り矢印は差込部１０の回転方向（差込片１１の移動方向）を示す。このとき、差込片１１がドライブシャフト１００のインナージョイント１１０に押し当てられると共に、反対側に位置する軸取付部２０がデフケース２１０に押し当てられる。これにより、てこの原理で、差込部１０からドライブシャフト１００のインナージョイント１１０を外方向（左方向）に押す力が加わり、ドライブシャフト１００をトランスミッション２００のデフから抜き取る。
【００２３】
《効果》
実施形態の抜き取り治具１は、ドライブシャフト１００のデフ側とデフケース２１０との隙間ｃに差込部１０を差し込むと共に、軸取付部２０に軸部材３０を取り付け、軸部材３０を中心にして捩ることにより、ドライブシャフト１００をデフから容易に抜き取ることができる。また、抜き取り治具１は、簡易な構成であり、狭いエンジンルーム内に差し入れることができ、シャフト抜取作業時に軸部材３０を捩ることにより、狭いエンジンルーム内でも効果的に力を作用させることができるので、作業効率が良い。
【００２４】
本発明は、これらの例示に限定されず、特許請求の範囲によって示され、特許請求の範囲と均等の意味および範囲内でのすべての変更が含まれることが意図される。例えば、実施形態の抜き取り治具１は、後輪のドライブシャフトの抜取作業にも使用できる。
【産業上の利用可能性】
【００２５】
本発明の抜き取り治具は、自動車のドライブシャフトの抜取作業に利用可能である。
【符号の説明】
【００２６】
１  ドライブシャフト抜き取り治具
１０  差込部
１１  差込片
１５  基部
２０  軸取付部
２２  穴
３０  軸部材
３５  ハンドル
１００  ドライブシャフト
１１０  インナージョイント
２００  トランスミッション（デファレンシャル）
２１０  デファレンシャルケース
【図１】
2019166621.tif 000003
【図２】
2019166621.tif 000004
【図３】
2019166621.tif 000005
【図４】
2019166621.tif 000006
【図５】
2019166621.tif 000007